Podtech/llm-jp-corpus-v4-ja_patent huggingface dataset:
(57)【要約】      （修正有）【課題】地中熱エネルギーを取り出す際の採熱効率を高め、システム全体のコストを低減する地中熱エネルギー採熱システムを提供する。【解決手段】地中に埋設した採熱管により熱媒を介して地中熱エネルギーを取出し、融雪の場合はその熱エネルギーを利用して雪を融かし、冷暖房に利用する場合はヒートポンプの熱源として利用する地中熱エネルギー採熱システムにおいて、複数の採熱管１ａ、１ｂを傾斜して埋設し、且つ、各採熱管は互いに地表に近い部分では近づき、地中深くになるにつれて互いに遠ざかるような放射状に配置する。採熱管の帯水層２に接する長さが長くなり、より効率良く熱を取り出すことができる。【選択図】図１
0003196732.tif 000002
【実用新案登録請求の範囲】
【請求項１】
地中熱を取出すために埋設する複数の採熱管を、主に比較的浅い帯水層をターゲットとして、地表に近い部分では互いに近づき、地中深くになるにつれて互いに遠ざかるような放射状に傾斜して埋設する形態とすることで、採熱効率を向上させ、かつ、コストの低減化をはかり、さらには比較的狭い敷地での施工を可能とすることを特徴とする地中熱エネルギーの採熱システム。
【考案の詳細な説明】
【技術分野】
【０００１】  本考案は、地中熱エネルギーを取出す際に地中に埋設する採熱管に関するものである。
【背景技術】
【０００２】  冬期間の融雪や夏冬の冷暖房に用いることを目的として、自然エネルギー源のひとつである地中熱を有効活用することが、最近のエネルギー問題を背景として徐々に普及しつつある。
地中熱を利用するには、地中に埋設した採熱管により熱媒を介して地中熱エネルギーを取出し、融雪の場合はその熱エネルギーを利用して雪を融かし、冷暖房に利用する場合はヒートポンプの熱源として利用することが一般に行われている。
【考案が解決しようとする課題】
【０００３】  昨今地中熱の利用は、大型の公共施設などでは徐々に広まってはいるものの、戸建て住宅用としてはあまり普及していない。その理由は、性能面とコスト面において投資額に見合うほどの効果が発揮されていないことに起因する。従って、システム全体の効率をいかに上げるか、さらには、それをいかに低コストで提供するかが課題となっている。
【課題を解決するための手段】
【０００４】  戸建て住宅のような小規模で、しかも廉価に地中熱を有効利用するためには、地中の層の一部を形成する帯水層に含まれる地下水の熱エネルギーを主体に取り出して利用するのがもっとも効果的である。その理由は、水が持つ熱容量のほうが土や砂の層のそれよりも大きいこと、さらには、地下水には微速ではあるが流れがあり、同じ箇所で採熱しても新しいエネルギーの供給が期待できるからである。帯水層は一般的には比較的地中の浅い部分にも存在し、その一部は井戸水として昔から利用されている。
【０００５】  小規模な地下熱採熱システムにおいては、比較的浅い地層に存在する帯水層を有効活用するために、採熱管１本を地中深く埋設するよりも、必要とする熱量に見合った複数の採熱管を埋設するほうが採熱効率は向上する。その場合、採熱管は、互いに熱干渉を受けないようにある程度の間隔をおいて点在させる必要がある。
【０００６】  本考案は、複数の採熱管を従来から一般的に行っている垂直方向に埋設するのではなく、ある程度傾斜して埋設することとし、さらに、各採熱管は互いに地表に近い部分では近づき、地中深くになるにつれて遠ざかるような放射状に配置する形態とするものである。
【考案の効果】
【０００７】  本考案によって採熱管１本あたりの採熱量は、傾斜させることで従来の垂直の場合よりも帯水層に接する長さが長くなり、より効率良く熱を取り出すことができる。
【０００８】  さらに、従来の工法では、採熱管内に熱媒を循環させる際に、各採熱管どうしの熱干渉を避けるために必要な距離があるため、それらを繋ぐ連結管が長くなり、地中から取り出した熱エネルギーが地表部分で奪われて採熱効率を落とす欠点があった。本考案では、各採熱管を傾斜させてそれぞれ放射状に配置することで、地表部分では各採熱管は接近し、それらを繋ぐ連結管の配管距離が短くなるため熱を奪われることが少なくなり、採熱効率を向上することができる。また、各採熱管が地表部分で接近、集中するため配管工事が容易になることで工事費が低減でき、さらには、敷地の有効利用も可能となる。
【図面の簡単な説明】
【０００９】
【図１】図１は本考案を融雪に応用した場合の一例を示す断面図である。
【図２】図２は図１の平面図である。
【図３】図３は図１と同じ目的をもつ従来の方式の断面図である。
【考案を実施するための形態】
【００１０】  本考案は、地中熱を取り出すため地中に埋設する複数の採熱管を、地表に近い部分では互いに近づき、地中深くになるにつれて互いに遠ざかるように傾斜をつけて放射状に配置する。
【実施例】
【００１１】  図１は本考案を融雪に応用し、採熱管を４本とした実施例の断面図である。採熱管１ａ、１ｂ、１ｃ、１ｄは、互いに地表に近い部分では近づき、地中深くなるにつれて互いに遠くなるような放射状に傾斜して配置し、帯水層２を通過して地中に埋設する。融雪槽３は底の部分に採熱管１ａ、１ｂ、１ｃ、１ｄの上部が位置するように設置し、さらに熱交換器４を設ける。採熱管１ａ、１ｂ、１ｃ、１ｄ、熱交換器４（本図では２個）、および、融雪槽３の上部に設けた循環ポンプ５をそれぞれ連結管６で直列に連結して閉回路を構成し、循環ポンプ５を起動して熱媒（図示せず）を循環させる。融雪槽３の内部には予め水７を入れておき、熱交換器４からの熱を受けて水７は昇温する。雪８を融雪槽３内に適量投入すれば、水７によって雪８は次第に融けていく。【００１２】  図３は融雪に応用した従来の実施例である。従来方式では、採熱管１ｅ、１ｆは垂直に埋設されているため、高い熱エネルギーを持つ帯水層２に接触する採熱管１ｅ、１ｆの長さが、本案の図１で示す傾斜して埋設した採熱管１ａ、１ｂ、１ｃ、１ｄよりも短いので、採熱効率は本案のほうがよい。また、採熱管１ｅ、１ｆは互いに接近すると採熱効率が落ちるので間隔を空けなければならず、その結果、連結管６の距離が本案よりも全体に長くなるため、熱媒（図示せず）循環時に地表で熱がより多く奪われることになり、全体の効率は本案のほうがよい。
【産業上の利用可能性】
【００１３】  本考案は地中熱を取り出し、それをエネルギー源として冬期間の融雪や、ヒートポンプを設けて夏冬の冷暖房を行う場合などに利用される。
【符号の説明】
【００１４】１ａ  採熱管
１ｂ  採熱管
１ｃ  採熱管
１ｄ  採熱管
１ｅ  採熱管
１ｆ  採熱管
２    帯水層
３    融雪槽
４    熱交換器
５    循環ポンプ
６    連結管
７    水
８    雪
【図１】
0003196732.tif 000003
【図２】
0003196732.tif 000004
【図３】
0003196732.tif 000005
(57)【要約】      （修正有）【課題】装飾品の本体の両端側を連結して輪状にでき、長さを調整可能にする紐連結用留め具を提供する。【解決手段】物体全体が糸等適宜素材にて形成された構造で、装飾品本体の一端に縫いつけられる留め用連結部２と紐の他端部に縫いつけられる長さ調整部３で構成される。長さ調整部３に保持部４と抜け止め片５を設け、留め用連結部２にループ状の連結用開孔６ａと連結用開孔６ｂと連結用開孔接続部７を設け、留め用連結部２に設けた連結用開孔の二箇所に長さ調整部３に設けた保持部４と抜け止め片５を挿通して、抜け止め片５を連結用開孔の二箇所に係止させる。留め用連結部２および長さ調整部３が連結固定され、この連結固定形態により、留め用連結部２および長さ調整部３に引っ張り荷重が加わっても連結固定形態が解除されることなく保持され、両端側が連結して輪状になり長さを調整可能とする。【選択図】図２
0003196736.tif 000002
【実用新案登録請求の範囲】
【請求項１】
物体全体が糸等適宜素材にて形成された構造で、伸縮性を保有し、全体、又は部分的に適度な通気性と細密性があり、紐の一端に縫いつけられる留め用連結部と紐の他端部に縫いつけられる長さ調整部とで構成され、長さ調整部に紐の中途部を摺動可能に保持する保持部と留め用連結部に設けたループ状の連結用開孔に挿通して係止自在を可能にする抜け止め片を設け、留め用連結部に設けた連結用開孔に長さ調整部に設けた保持部と抜け止め片を挿通し、抜け止め片を連結用開孔に係止させ、留め用連結部および長さ調整部が連結固定され、この連結固定形態によって、留め用連結部および長さ調整部に引っ張り荷重が加わっても前記連結固定形態が解除されることなく保持され、両端側が連結して輪状となり、長さ調整部で長さを調整可能とすることを特徴とする紐連結用留め具。
【考案の詳細な説明】
【技術分野】
【０００１】  本考案は、装飾品の本体の両端側に紐連結用留め具を設けた、留め具に関するものである。
【背景技術】
【０００２】  装飾品の本体の両端側に連結用留め具を設け、輪状にする場合、装飾品の本体の両端側に金属製の部品を備え、装飾品の本体の両端側を連結固定していた。
【考案の概要】
【考案が解決しようとする課題】
【０００３】  金属製の部品の連結用留め具を備える場合、経済的負担が大きく、またユーザーの身体への影響が考えられる。従って、紐連結用留め具は、安価に製造可能であり、ユーザーへの身体に与える影響を少なくすることにより前述の欠点を解決しようとするものである。
【課題を解決するための手段】
【０００４】  本考案は、物体全体が糸等適宜素材にて形成された構造で、紐の一端に縫いつけられる留め用連結部と紐の他端部に縫いつけられる長さ調整部とで構成され、長さ調整部に紐の中途部を摺動可能に保持する保持部と留め用連結部に設けたループ状の連結用開孔に挿通して係止自在を可能にする抜け止め片を設け、留め用連結部に設けた連結用開孔の二箇所に長さ調整部に設けた保持部と抜け止め片を挿通して、抜け止め片を前記連結用開孔の二箇所に係止させ、留め用連結部および長さ調整部が連結固定され、この連結固定形態によって、留め用連結部および長さ調整部に引っ張り荷重が加わっても前記連結固定形態が解除されることなく保持されることを可能し、且つ、本考案の紐連結用留め具は安価に製造可能で、伸縮性を保有し、全体、又は部分的に適度な通気性と細密性があることにより問題を解決している。
【考案の効果】
【０００５】  本考案の紐連結用留め具は、金属製の部品を備えないで、物体全体が糸等適宜素材にて形成された構造により経済的負担を小さくし、ユーザーへの身体に与える影響を少なくすることができ、留め用連結部および長さ調整部が連結固定形態を成すことによって、留め用連結部および長さ調整部に引っ張り荷重が加わっても前記連結固定形態が解除されることなく保持されることができ、両端側を連結して輪状となり、長さ調整部で長さを調整可能とする。
【図面の簡単な説明】
【０００６】
【図１】本考案の紐連結用留め具の正面図である。
【図２】本考案の一実施例を示す図である。
【考案を実施するための形態】
【０００７】  装飾品本体の紐の一端に縫いつけられる留め用連結部と紐の他端部に縫いつけられる長さ調整部を設け、長さ調整部に保持部と抜け止め片を設け、留め用連結部に連結用開孔を２箇所と連結用開孔接続部を設け、長さ調整部に設けた保持部と抜け止め片を留め用連結部に設けた連結用開孔の２箇所に挿通して、抜け止め片を前記連結用開孔の２箇所に係止する。従って、留め用連結部および長さ調整部が連結固定され、この連結固定形態によって、留め用連結部および長さ調整部に引っ張り荷重が加わっても前記連結固定形態が解除されることなく保持され、両端側を連結して輪状となり、長さ調整部で長さを調整可能とする。
【０００８】  長さ調整部で設けた抜け止め片は、一定の形状、例えばハート型や星型に形を変化させた構造のもので構成することもできる。
【実施例】
【０００９】  以下、添付図面に従って一実施例を説明する。物体全体が糸等適宜素材にて形成された構造で、１は装飾品本体、装飾品本体１の紐の一端に縫いつけられる留め用連結部２と紐の他端部に縫いつけられる長さ調整部３を設け、８は装飾品本体１に留め用連結部２と長さ調整部３を縫いつけた縫製部で、長さ調整部３に保持部４と抜け止め片５を設け、留め用連結部２に連結用開孔６ａと連結用開孔６ｂと連結用開孔接続部７を設け、長さ調整部３に設けた保持部４と抜け止め片５を留め用連結部２に設けた連結用開孔６ａから連結用開孔６ｂに順に挿通して、抜け止め片５を連結用開孔６ａと連結用開孔６ｂに係止させ、留め用連結部２および長さ調整部３が連結固定され、この連結固定形態によって、留め用連結部２および長さ調整部３に引っ張り荷重が加わっても前記連結固定形態が解除されることなく保持されることが可能である。【００１０】  長さ調整部３で設けた保持部４と抜け止め片５は、連結用開孔６ａと連結用開孔６ｂに係止自在可能である。即ち、ユーザーが簡単に長さを調整するのを可能とする。
【産業上の利用可能性】
【００１１】  本考案に係る紐連結用留め具は、工業的に量産する事が可能であるため、産業上の利用可能性を有する。
【符号の説明】
【００１２】１  装飾品本体
２  留め用連結部
３  長さ調整部
４  保持部
５  抜け止め片
６ａ  連結用開孔
６ｂ  連結用開孔
７  連結用開孔接続部
８  縫製部
【図１】
0003196736.tif 000003
【図２】
0003196736.tif 000004
(57)【要約】      （修正有）【課題】きわめて簡単な装置で、靴を乾燥させることが出来る靴の乾燥器を提供する。【解決手段】熱源にヒーターを使わず、白熱電球１を靴に入れて通電しその電球の発する熱で靴を内側から乾燥させるものである。その白熱電球１は先の細い物を使用する為、靴の中の先端まで入り乾きにくい所も早く乾燥させる事が出来る。切り替えスイッチ３により強弱、二段階で熱の調整が出来る。【選択図】図１
0003196733.tif 000002
【実用新案登録請求の範囲】
【請求項１】
細長い白熱電球２個を、靴の片方ずつに入れて通電しその電球の発生する熱で、靴を内側から乾燥させる靴の乾燥器。
【請求項２】
２個の電球は直列、並列に切り替える事により熱の強弱を調整できる事を、特徴とする請求項１の靴の乾燥器。
【考案の詳細な説明】
【技術分野】
【０００１】本考案は湿った靴を、内側から乾燥させる装置に関するものである。
【背景技術】
【０００２】従来からある靴の乾燥装置は、ヒーターで温めた空気をモーターに直結したファンで、靴の中に送り込んで靴を乾燥させるものである。
【考案の概要】
【考案が解決しようとする課題】
【０００３】ヒーター、モーターとファンを使った装置の場合、装置自体が大きくなってしまう。
また加熱し過ぎる事のない様にタイマー付きもあり、価格も高額となる。
装置自体が大きくなると、使わない時の保管場所等の問題もある。
【課題を解決するための手段】
【０００４】本考案は、熱源にヒーターではなく、白熱電球の熱を用いるので、構造はきわめて簡単で、価格も低く抑えられる。
温度調節は、電球の回路を直列、並列に切り替える事で行う。
また、使わない時は天井から吊るして、照明としても利用出来る。
【考案の効果】
【０００５】細長い電球を使用する為、乾きにくい靴の先端まで入り込んで早く乾燥出来る。
温度を二段階に調節できるので、早く乾かすことも出来るが、靴を傷めないように、ゆっくり乾かす事も出来る。
靴の乾燥器以外にも、天井からぶら下げて照明として使う事も出来る。
湿った靴を履いた事による水虫等の予防にもなる。
【図面の簡単な説明】
【０００６】
【図１】本考案に係る靴の乾燥器の全体図
【図２】靴の乾燥器の回路図
【考案を実施するための形態】
【０００７】左右の靴を並べて置いて、そこに細長い電球を別々に靴先に入れて乾燥させる靴の湿り具合によって、熱の強弱を選んでスイッチを入れる。
【符号の説明】
【０００８】１  白熱電球
２  電球ソケット
３  切り替えスイッチ
４  電源プラグ
５  渡り線
【図１】
0003196733.tif 000003
【図２】
0003196733.tif 000004
(57)【要約】      （修正有）【課題】果実の芯部分に対して切込先部を捩じり込みながら果実に貫通させた後に引き抜いて芯抜きを行った後、排出部に収まった果実芯の取り除きを容易に行える芯抜き器を提供する。【解決手段】先端に刃１１を形成した円筒状の切込先部１２と、切込先部に連続し、長尺の開放部１３が形成された半円筒状の排出部１４とを備えた本体を、適宜な柄部（把柄体４）に装着してなる芯抜き器において、切込先部における排出部との連結部位の背面に、適宜幅（中心角で１８０〜９０度）で切込先部先端から切込先部形成範囲以上に達する切欠部１６を形成する。芯抜き後に、排出部背面に軽く打撃Ｂを加えると、切込先部に位置する果実芯Ａは、切欠部へ逃げ、果実芯が開放部から器具外Ｃに放出される。【選択図】図４
0003196771.tif 000002
【実用新案登録請求の範囲】
【請求項１】
先端に刃を形成した円筒状の切込先部と、前記切込先部に連続し、長尺の開放部が形成された半円筒状の排出部とを備えた本体を、適宜な柄部に装着してなる芯抜き器において、切込先部における排出部との連結部位に、適宜幅で先端から切込先部形成範囲以上に達する切欠部を形成してなることを特徴とする芯抜き器。
【請求項２】
切欠部の幅を中心角１８０〜９０度の範囲としてなる請求項１記載の芯抜き器。
【請求項３】
切込み先部の先端刃が、三角波刃である請求項１又は２記載の芯抜き器。
【請求項４】
金属製の本体を、樹脂製の柄部に装着してなる請求項１乃至３記載の何れかの芯抜き器。
【考案の詳細な説明】
【技術分野】
【０００１】
本考案は、林檎等の果実の芯を抜き取るために使用する芯抜き器に関するものである。
【背景技術】
【０００２】
果実の芯抜き器としては、適宜な柄部に、金属製の先端に刃を形成した円筒状の切込先部と、前記切込先部と柄部との間に形成された半筒状の排出部とを備えた本体を装着したものが知られている（特許文献１，２）。
【０００３】
この特許文献に開示されている本体を切込先部と排出部で構成した器具は、果実の芯部分対して切込先部を捩じり込みながら果実を貫通させ、その後に果実から引き抜くことで、果実の芯抜きが行われるものである。
【先行技術文献】
【特許文献】
【０００４】
【特許文献１】実開昭４９−７３６６１号公報。
【特許文献２】実開平１−１６０９２４号公報。
【考案の概要】
【考案が解決しようとする課題】
【０００５】
前記の従前の器具においては、果実の芯抜きを行った後、排出部に収まった果実芯を取り除くものであるが、排出部に露出した果実芯を直接手で掴み出すか、或いは適宜な器具を使用して取り出す必要がある。而も果実芯の一部は円筒状の切込先部内に密挿状態で残っているので、前記の果実芯の取り出し作業が煩瑣となる。
【０００６】
そこで本考案は、本体に軽く打撃を加えるという簡単な手段で果実芯の排出が可能となる新規な芯抜き器を提案したものである。
【課題を解決するための手段】
【０００７】
本考案に係る芯抜き器は、先端に刃を形成した円筒状の切込先部と、前記切込先部に連続し、長尺の開放部が形成された半円筒状の排出部とを備えた本体を、適宜な柄部に装着してなる芯抜き器において、特に切込先部における排出部との連結部位に、適宜幅で先端から切込先部形成範囲以上に達する切欠部を形成してなることを特徴とするものである。
【０００８】
而して前記の芯抜き器は、従前の器具と同様に、果実の芯部分に対して切込先部を捩じり込みながら果実を貫通させた後に引き抜き、果実の芯抜きを行うもので、芯抜き後に、本体の排出部背面（開放部と反対側の面）に軽く打撃を加えると、切込先部に位置する果実芯は、切込先部に囲繞されて密挿状態とはなっていないので、前記の打撃時に切込先部に位置する果実芯は切欠部へ逃げることができ、果実芯が開放部から飛び出し、器具外に放出されることになる。
【考案の効果】
【０００９】
本考案の構成は上記のとおりで、円筒状の切込先部の背面に切欠部を形成するという簡単な構造で、抜き取った果実芯を容易に器具から排出できるようになったものである。
【図面の簡単な説明】
【００１０】
【図１】本考案の実施形態の要部拡大図。
【図２】同分解斜視図。
【図３】同全体の側面図。
【図４】同果実芯の排出時の説明図。
【考案を実施するための形態】
【００１１】
次に本考案の実施形態について説明する。実施形態に示した芯抜き器は、金属製の本体１と、柄部を構成する各々樹脂製の中子体２、止着部材３及び中空形状の把柄体４で構成される。
【００１２】
本体１は、先端に三角波刃１１を形成した一部欠損した円筒状の切込先部１２と、前記切込先部１２に連続し、長尺の開放部１３が形成された半円筒状の排出部１４と、排出部１４に連続し、柄部に装着する中子部１５とで構成されると共に、特に切込先部１２に切欠部１６を設けたものである。
【００１３】
切欠部１６は、中子部１５が連続する側である背面部分において、適宜な幅（中心角が１８０〜９０度程度）で、且つ切込先部１２の先端から切込先部形成範囲以上で排出部１４に食い込む箇所までの範囲に設けたものである。
【００１４】
中子部材２は、軽量化のための所定の外径を備える骨組み体で、本体１の中子部１５を添えて把柄体４の中空部分に略密挿入され得る形状であり、止着部材３は、中子部材２に添えた中子部１５を中子部材２に止着する構造及び形状を備えたものである。
【００１５】
また把柄体４は、適宜な大きさの中空形状であり、本考案器具は、本体１の中子部１５を中子部材２に添え、止着部材３で本体１と中子部材２を止着状態として把柄体４に挿入し、適宜な手段（例えば超音波溶接等）で中子部材２と止着部材３と把柄体４とを一体にして、柄部（一体化した中子部材２と止着部材３と把柄体４）に本体１を装着してなるものである。
【００１６】
而して前記器具は、従前の器具と同様に、果実の芯部分対して切込先部１２を捩じり込みながら果実を貫通させた後に引き抜くことで、果実から果実芯Ａを抜きとり、芯を抜いた果実を、適宜な分割器具で分割して食に供するものである。
【００１７】
芯抜き後の果実芯Ａは、切込先部１２と排出部１４に位置することになるが、本体１の排出部１４の背面（開放部と反対側の面）に軽く打撃Ｂを加えると、果実芯Ａの先部は、その全体が切込先部１２で囲繞されているものではなく、排出部１４との連結部位にあたる背面に設けた切欠部１６へ逃げることができるので、果実芯Ａが排出部１４から起き上がり状態となり、開放部１３から外方Ｃに飛び出し、器具外に放出されることなる。
【００１８】
従って本考案器具は、何らの道具を使用することなく、また手を汚すことなく、抜き取った果実芯を器具外に排出できるものである。
【符号の説明】
【００１９】
１      本体
１１    三角波刃
１２    切込先部
１３    開放部
１４    排出部
１５    中子部
１６    切欠部
２      中子部材
３      止着部材
４      把柄体
【図１】
0003196771.tif 000003
【図２】
0003196771.tif 000004
【図３】
0003196771.tif 000005
【図４】
0003196771.tif 000006
(57)【要約】      （修正有）【課題】女性の小便を簡易に使用することで、女性の権益保護を達成する女性用の立式または屈式便器を提供する。【解決手段】女性用の立式または屈式便器１は、開口が上向きで細長に成形された便器本体１１を含む。便器本体１１の一端は壁に固定してぶら下がる形態で設置し、便器本体１１は近くから遠くに向けて細長状に成形する。細長の便器本体１１によって、女性は両股で便器本体１１の二側を挟み、便器本体１１の一端が壁に固定してぶら下がる形態であることから、立姿もしくは半屈姿で用を足す。 【選択図】図１
0003196797.tif 000002
【実用新案登録請求の範囲】
【請求項１】
主に開口が上向きで細長の便器本体から構成された女性用の立式または屈式便器において、
該便器本体の一端は、壁に固定してぶら下がる形態であり、該便器本体は壁近くから遠くに向かって細長形状になることを特徴とする女性用の立式または屈式便器。
【請求項２】
前記便器本体の最上縁は平形状であることを特徴とする請求項１記載の女性用の立式または屈式便器。
【考案の詳細な説明】
【技術分野】
【０００１】
本考案は、女性用の立式または屈式便器に関するもので、特に女性が使用する立式または屈式便器を提供する。
【背景技術】
【０００２】
男女は先天的に生理構造が異なる。そのため、公共衛生施設では女性の需要を十分に満たすことが困難であり、例としてトイレ(特に小便)の時、男女の便利性は異なり、往々にして男性の小便時は簡単に済ませることができるが、女性側は長い列ができてしまう。
【考案の概要】
【考案が解決しようとする課題】
【０００３】
解決しようとする問題点の一つとして、女性の小便衛生設備が大便の時と同じであることが挙げられる。通常、密閉された空間で且つ坐式の便器である。但し、座式便器は例え小便であっても必ずフタを開ける、拭く、蓋を閉める等の前と後の処理が必要になる。公共の場所において、例えそれが一人1,2分の時間であっても、人数が多くなれば積もり積もって長蛇の列を形成することになり、女性が尿を我慢するのは健康にも害を与え、男女同権の達成も困難になる。
【０００４】
或る人は座式便器を好まないため、公共の場所には屈式便器も設置する。但し、この種の便器は通常左官工事を地面の下で行う他に、工事が煩雑で、設置や増設が困難であったりするため、空間が不足する場所では適さない。更にこの種の屈式は全屈式に属するため、簡易な小便するだけにこれほど大掛かりで高費用の設備は必要であるとは言えない。
【０００５】
長きに亘って、男女平等論者、業界または主管機関において、提起されながらも根本的な解決と改善策が出されたことはない。
【課題を解決するための手段】
【０００６】
本考案は、開口が上向きで細長に成形された便器本体を含む。該便器本体の一端は壁に固定してぶら下がる形態で設置し、該便器本体は近くから遠くに向けて細長状に成形する。細長の便器本体によって、女性は両股で該便器本体の二側を挟み、該便器本体の一端が壁に固定してぶら下がる形態であることから、立姿もしくは半屈姿で用を足すことを最も主要な特徴とする。
【考案の効果】
【０００７】
本考案の女性用の立式または屈式便器は、女性の小便を簡易に使用することで、女性の権益保護を達成するという利点がある。
【図面の簡単な説明】
【０００８】
【図１】本考案の立体図である。
【図２】本考案を壁に固定した状態平面図である。
【図３】本考案の使用状態図である。
【考案を実施するための形態】
【０００９】
従来の技術不足を解決するため、本考案者は一種の女性用の立式または屈式便器を提供する。それは開口が上向きで細長に成形された便器本体を含む。該便器本体の一端は壁面に固定してぶら下がる形態で設置し、該便器本体由は壁近くから遠く向きに細長い形状である。
【００１０】
該細長の便器本体によって、女性が使用する時には両股で該便器本体の二側を挟む。該便器本体の一端が壁に固定されてぶら下がるように設置されるため、利用者は立姿もしくは半屈姿で用をたし、女性の権益を守る。
【実施例】
【００１１】
以下は、図式を補うものであり、本考案の構造及び特徴と実施例を説明し、更に理解しやすくする。
【００１２】
図１と図２に示すとおり、本考案は女性用の立式または屈式便器１に関し、該便器１は開口が上向きで細長に成形された便器本体１１を含む。該便器本体１１の一端は壁２に固定してぶら下がる状態で設置し、該便器本体１１は壁近くから遠くに向かって細長状で成形する。
【００１３】
図３に示すとおり、該便器本体１１は細長であるため、女性は両股で該便器本体１１の二側を挟む。該便器本体の一端が壁２に固定されてぶら下がり、高度を備えるため、女性は両足の立姿もしくは半屈姿(図式では半屈姿)で該便器本体１１二側を跨ぐ。壁２に固定してぶら下がた形態にするには、先ず始めに高度を決め、必要な高さに調整し、異なる身長に適用するように調整する。その他、昇降機を設置して可動式で高低を調整してもよい。
【００１４】
このようにすることで、女性でも簡単に用をたすことができ、男性と同じく座式便器を必要とせず、煩雑な前後の動きを必要としない。女性も簡単に小便を済ませることができることで、女性の権益を促進する。
【００１５】
更に、本考案は、地面の下に埋設工事をする必要が無く、一端を壁２に固定してぶら下がる形で設置すれば良いため、空間に制限があっても有効に使用でき、空間操作性に優れる。
【００１６】
その他、図１に示すとおり、本考案の水栓設備は、グースダック水栓１３を該便器本体１１一側に設置して該便器本体１１内部に向け、マジックアイ等のセンサースイッチを設置することで、使用者が近づいたことで先ずは便器本体１１内壁を濡らしたり、小便が完了した後水を流したり、または該便器本体１１内縁に管路を埋め、該便器本体１１下方に排水管１２を設置して尿液と洗浄液を流しやすくする。
【００１７】
本考案は、該便器本体１１の最上縁が平形状であり、女性の使用時に平らでない、または曲弧、凹凸によってスカートやパンツが触れて汚れるのを防止する。
【００１８】
本考案は簡易で軽量であるため、大量設置でき、簡易の遮蔽ドアまたはドア板を設置する。特に遊技場等の公共の場において、広く設置する。
【００１９】
上述のとおり、本考案は産業利用性に符合し、且つ刊行物及び公開された場においての使用は未見であるため、特許申請の要件に符合することから、実用新案を申請する。
【００２０】
上述のとおり、本考案は良好な一実施例であり、均等な変化などは請求の範囲に含まれるものとする。
【符号の説明】
【００２１】
１        便器
１１        便器本体
１２        排水管
１３        グースダック水栓
２        壁
【図１】
0003196797.tif 000003
【図２】
0003196797.tif 000004
【図３】
0003196797.tif 000005
(57)【要約】      （修正有）【課題】開けたカーテンを片手で簡単に早く収納することが出来るカーテン類の留め具を提供する。【解決手段】壁に取り付けるためのプレート４に、カーテンを収納できる空間を施した形状のバネ構造を合わせ持つ留め具１を取り付けると共に、留め具先端２は外方に湾曲せしめプレートとの間に隙間を構成したことを特徴とする。留め具には、直接装飾及び布或はビニール等のカバーを装着するのが好ましい。【選択図】図１
0003196800.tif 000002
【実用新案登録請求の範囲】
【請求項１】
壁に取り付けるためのプレートに、カーテンを収納できる空間を施した形状のバネ構造を合わせ持つ留め具を取り付けると共に留め具先端は外方に湾曲せしめプレートとの間に隙間を構成したことを特徴とするカーテン類の留め具。
【請求項２】
留め具には、直接装飾及び布或はビニール等のカバーを装着したことを特徴とする請求項１記載のカーテン類の留め具。
【考案の詳細な説明】
【技術分野】
【０００１】
この考案は、カーテンを開けた時のカーテンの保持留め具に関するものである。
【背景技術】
【０００２】
従来は、カーテンを開けた際に紐又は帯状のもの（カーテンタッセル）を使ってカーテンを固定していた。
【先行技術文献】
【特許文献】
【０００３】
【特許文献１】特開平０９−２９９２２８号公報
【考案の概要】
【考案が解決しようとする課題】
【０００４】
従来から在ったカーテン留め具は壁又は柱等にフックを取り付けて紐又は帯状の物（カーテンタッセル）でカーテンを包囲しそれらの先端にある輪状のもので固定する物が主流であり両手を必要とした。
【課題を解決するための手段】
【０００５】
この考案はカーテンを開けた時にできるカーテンの束を横向きに整形された留め具に引っかけて保持するものであり、片手で簡単に操作できるバリアフリー製品である。
【考案の効果】
【０００６】
この考案はカーテンを開けたときに出来るカーテンの束を直接留め具に掛けて固定する物であるため両手を必要とせず片手のみで開けたカーテンを保持し留めることが出来る今までにない一歩進んだバリアフリーでエコなユニバーサル製品である。又本考案は高分子材料又は金属を使って製作することができ、しかも大量生産が可能で安価に提供することも出来る。又留め具に既存の印刷技術で色々な色彩や模様等の装飾を施した布やビニール等で作ったカバーを留め具に被せることによって着せ替えが楽しめインテリアのアクセントとしても自由度を広げることができ、しかも身体にハンディのある人でも簡単に作業することができる優れたバリアフリー製品である。
【図面の簡単な説明】
【０００７】
【図１】本考案の実施形態を示す斜視図
【図２】同実施形態を示す平面図
【図３】同使用状態を示すイメージ図
【考案を実施するための形態】
【０００８】
日本の住宅事情に於いて、基本的に窓や掃出しにはカーテンは必要な物であり、カーテン開放時にはカーテンタッセルが必要になってくる。現状ではカーテンを保持固定するためには両手を必要とし、場所によっては窮屈な体制で行わなければならない事もあり、カーテンを保持固定せず開けたままの状態にしている事がある。
【実施例１】
【０００９】
この考案を図面に基づいて説明すると、このカーテン留め具１を壁に取り付けるためのプレート４に湾曲を施した形状で且つバネ構造の機能を合わせた厚みや幅に自由度の留め具１を溶着又は接着したもので、留め具１の先端はカーテン７を出し入れし易いように誘い２がある。取り付けも既存のものと同様壁にネジ等でプレート４を固定するだけで、誰にでも取り付けが可能となっている。又、プラスチック等高分子材料にて構成すれば一体成型も可能な構造になっている。
使用に於いてはカーテン７を開けた際中央部分を束にし、外側から留め具１のカーテン出入口６に少し押し込むように引っかけてカーテン収納空間５に綺麗に収納することができ、身体にハンディのある人でも簡単にカーテン７の固定ができる。
この考案は片手で簡単にカーテンを出し入れすることが出来るので、狭い場所に配置されたカーテンでも片手で無理な体勢を取ることなく綺麗にカーテンを保持固定することが出来る。
【実施例２】
【００１０】
片手で簡単にカーテンを出し入れできるだけではなく、留め具の部分に印刷を施し装飾することができ、又布あるいはビニール等のカバー３を留め具１に装着することによって色々な色彩又はデザイン柄に変更でき、インテリアの変更等にも対応することができ、その都度気分転換もできる。
【産業上の利用可能性】
【００１１】
この考案はカーテンを開けた際従来は両手を使ってカーテンを固定しなければならなかった事を片手で簡単に行うことが出来ることを可能にしたもので、バリアフリーでユニバーサルデザインとして優れ、且つインテリアを損なわないように部屋に合ったデザインが可能なカーテン類留め具である。
【符号の説明】
【００１２】
１  留め具
２  留め具先端
３  留め具に装着したカバー
４  プレート
５  カーテン収納空間
６  カーテン出入口
【図１】
0003196800.tif 000003
【図２】
0003196800.tif 000004
【図３】
0003196800.tif 000005
(57)【要約】      （修正有）【課題】大量の雪を一気に遠方に移動させることができる雪かき用シャベルを提供する。【解決手段】シャベル本体１とシャベル本体を移動させる移動部材２とからなり、シャベル本体１は、平坦部５と斜面部６からなりシャベル本体１下端部には、ローラー７を取着し、移動部材２下端部にも、ローラー７´を取着し、大量の雪を一気に遠方に移動させることができるようにする。【選択図】図１
0003196789.tif 000002
【実用新案登録請求の範囲】
【請求項１】
シャベル本体と該シャベル本体を移動させる移動部材とからなり、前記シャベル本体は、平坦部と斜面部からなりシャベル本体下端部には、ローラーを取着し、前記移動部材下端部にも、ローラーを取着したことを特徴とする雪かき用シャベル。
【請求項２】
前記シャベル本体下端部のローラーは、平坦部と斜面部の交点に取着されている請求項１記載の雪かき用シャベル。
【請求項３】
前記シャベル本体は前記平坦部と斜面部の両端が屈曲した形状に形成する請求項１又は２記載の雪かき用シャベル。
【請求項４】
前記移動部材下端部のローラーは、同列に２個又は３個取着する請求項１〜３のいずれかに記載の雪かき用シャベル。
【請求項５】
前記移動部材下端両側部のローラーは、一列に取着する請求項１〜４のいずれかに記載の雪かき用シャベル。
【請求項６】
前記雪かき用シャベルは、軽量部材で形成されている請求項１〜５のいずれかに記載の雪かき用シャベル。
【考案の詳細な説明】
【技術分野】
【０００１】
この考案は、雪かき用シャベル（スコップを含む）に係り、詳記すればローラーにより前進、後進し得るようにした雪かき用シャベルに関する。
【背景技術】
【０００２】
従来の雪かき用シャベルは、雪を掬えるシャベル本体とこのシャベル本体に取り付けた柄体とからなるものであった。従ってこのシャベルを使用したのでは大量の雪を一気に遠方に移動させるのが極めて困難であった。
【考案の概要】
【考案が解決しようとする課題】
【０００３】
この考案は、このような点に着目してなされたものであり、大量の雪を一気に遠方に移動させることができる雪かき用シャベルを提供することを目的とする。
【課題を解決するための手段】
【０００４】
上記目的を達成するため本考案者は、鋭意研究の結果、シャベル本体をローラーにより前進、後進するように形成すれば、大量の雪を一気に遠方に移動させることができることを想到し、本考案に到達した。
【０００５】
即ち本考案は、シャベル本体と該シャベル本体を移動させる移動部材とからなり、前記シャベル本体は、平坦部と斜面部からなりシャベル本体下端部には、ローラーを取着し、前記移動部材下端部にも、ローラーを取着したことを特徴とする。
前記シャベル本体下端部のローラーは、平坦部と斜面部の交点に取着するのが好ましい（請求項２）。
【０００６】
前記シャベル本体は前記平坦部と斜面部の両端が屈曲した形状とするのが大量の雪を移動できることから好ましい（請求項３）。
【０００７】
前記移動部材下端両側部のローラーは、同列に２個又は３個取着するのが好ましい（請求項４）。前記移動部材下端部のローラーは、一列に取着するのが好ましい（請求項５）。
【０００８】
本考案の雪かき用シャベルは、軽量部材で形成するのが好ましい（請求項６）。
【考案の効果】
【０００９】
本考案によれば、シャベル本体をローラーにより前進、後進するように形成しているので、大量の雪を一気に遠方に移動させることができるという従来の雪かき用シャベルには見られない著しく顕著な効果を奏する。
【図面の簡単な説明】
【００１０】
【図１】本考案の一実施例を示す、（Ａ）シャベル本体側面図、（Ｂ）移動部材正面図である。
【図２】本考案の一実施例を示す、（Ａ）移動部材背面図、（Ｂ）シャベル本体側面図、（Ｃ）移動部材断面図、（Ｄ）移動部材底面図である。
【符号の説明】
【００１１】
１・・・・・・シャベル本体
２・・・・・・移動部材
３・・・・・・シャベル本体の後端に固定されたパイプ
４・・・・・・移動部材先端に固定されたロッド
５・・・・・・平坦部
６・・・・・・斜面部
７，７´・・・ローラー
８，８´・・・軸
【考案を実施するための形態】
【００１２】
次に、本考案の実施の形態を添付図面に基づいて更に詳細に説明する。
【００１３】
図１に示すように、本考案の雪かき用シャベルは、シャベル本体１と該シャベル本体１を移動させる移動部材２とからなり、シャベル本体１と移動部材２とは、シャベル本体１の後端に固定されたパイプ３に、移動部材２先端に固定されたロッド４を嵌合させることにより着脱自在に固定されている。
【００１４】
前記シャベル本体１は、矩形状の平坦部５と矩形状の斜面部６とからなり、シャベル本体下端部両側部には、ローラー７を２個づつ取着し、前記移動部材下端部両側部には、ローラー７´を２個ずつ一列に取着している。このように一列に取着するのは、傾かせることができるようにし、傾きにより推進力を与えるためである。
移動部材下端部両側部のローラーは、２個又は３個づつとするのが好ましい。１個ずつでは左右に傾く場合が生じるからである。
【００１５】
前記シャベル本体下端部のローラー７は、平坦部５と斜面部６の交点に取着されている。ローラー７，７´は、軸８，８´の両側部に回転自在に固定されている。
シャベル本体１は平坦部５と斜面部６の両端が屈曲部９に形成されている。このような形状とすることにより、大量の雪を一度に移動させることができる。
【００１６】
本考案の雪かき用シャベルは、軽量部材で形成するのが大量の雪が移動させ易くなることから好ましい。軽量部材としては、プラスチック又はアルミニウムが挙げられる。
【図１】
0003196789.tif 000003
【図２】
0003196789.tif 000004
(57)【要約】      （修正有）【課題】手軽に家庭等で使用でき、また携行も可能な腸洗浄器を提供する。【解決手段】温水を貯溜する本体ケース３と、この本体ケース３上に着脱自在に装着される蓋ケース４と、蓋ケース４の内部に設けられたポンプＰと、このポンプＰを駆動するモータＭと、モータＭの電源部１１と、ポンプＰから垂下する吸水チューブ１２と、ポンプＰにより汲み上げられた本体ケース３内の温水を先端部の挿入部８へ送るための導水チューブ７を備える。ポンプＰで汲み上げた温水を挿入部８から吐出し、腸内を手軽に洗浄することができる。【選択図】図２
0003196701.tif 000002
【実用新案登録請求の範囲】
【請求項１】
温水を貯溜する本体ケースと、この本体ケースに着脱自在に装着される蓋ケースと、蓋ケースに設けられたポンプと、このポンプを駆動するモータと、モータの電源部と、ポンプから垂下する吸水チューブと、ポンプにより汲み上げられた前記本体ケース内の温水を先端部の挿入部へ送るための導水チューブを備えたことを特徴とする腸洗浄器。
【請求項２】
前記蓋ケースに、前記モータおよびポンプをＯＮ／ＯＦＦするためのスイッチを設けたことを特徴とする請求項１に記載の腸洗浄器。
【考案の詳細な説明】
【技術分野】
【０００１】
本考案は、手軽に温水により便秘解消と腸洗浄を行うことができる腸洗浄器に関するものである。
【背景技術】
【０００２】
従来、便秘の解消として、浣腸や下剤を使用することが知られている。然しながら従来の手段においては、急激に便意が生じたり、あるいは腹痛が生じ易いという問題点があり、また浣腸を用いなければ便が出なくなったり、下剤を次第に増量せねば効果が得られなくなるという習慣性が生じやすいという問題点があった。
【０００３】
そこで、手動圧縮ポンプ体を用いて温水を腸内に送り、これを洗浄する腸洗浄器が提案されている。しかしながらこのものは、ポンプの圧縮動作を手動でしなければならないので、使用勝手が面倒であった。
【０００４】
また、温水を貯留した容器を高い位置にセットし、その圧力で温水を腸内に注入する手段も知られている。しかしながらこのような従来手段では、湯の準備、湯温の維持、湯の注入に時間がかかる等の手間と時間を要するという問題点があった。
【０００５】
また、温水器や加圧ポンプ等を備えた腸洗浄器が提案されている。しかしながらこのような加圧ポンプを用いる従来の腸洗浄器は、減圧弁、三方切換え弁等を必要とするので構造が複雑であり、コスト高となり、また旅行に携行するなどして手軽簡易に使用しにくいという問題点があった。
【先行技術文献】
【特許文献】
【０００６】
【特許文献１】実用新案登録第３０７５５５５号公報
【特許文献２】実用新案登録第３０７６４２４号公報
【考案の概要】
【考案が解決しようとする課題】
【０００７】
そこで本考案は、上記のような従来技術の問題点を解消し、手軽に家庭等で使用でき、また携行も可能な腸洗浄器を提供することを目的とする。
【課題を解決するための手段】
【０００８】
本考案の腸洗浄器は、温水を貯溜する本体ケースと、この本体ケースに着脱自在に装着される蓋ケースと、蓋ケースに設けられたポンプと、このポンプを駆動するモータと、モータの電源部と、ポンプから垂下する吸水チューブと、ポンプにより汲み上げられた前記本体ケース内の温水を先端部の挿入部へ送るための導水チューブを備えたものである。
【０００９】
また望ましくは、前記蓋ケースに、前記モータおよびポンプをＯＮ／ＯＦＦするためのスイッチを設けたものである。
【考案の効果】
【００１０】
本考案によれば、家庭等において手軽に温水による数分の短時間で腸洗浄を行うことができる。また小型、軽量、コンパクトな構造にすることができるので、旅行等にも手軽に携行して使用することができる。勿論、病院における腸検査の際の腸洗浄にも用いることができる。また老人介護施設等における便秘解消にも使用できる。
【図面の簡単な説明】
【００１１】
【図１】本考案の一実施の形態における腸洗浄器の斜視図
【図２】本考案の一実施の形態における腸洗浄器の断面図
【考案を実施するための形態】
【００１２】
図１において、腸洗浄器１は、円筒形のケース２を主体としている。ケース２は、本体ケース３と、本体ケース３の上部に着脱自在に装着される蓋ケース４から成っている。蓋ケース４の上面には持ち運びするための把手５が設けられている。
【００１３】
また蓋ケース４の上面には、モータおよびポンプ（後述）をＯＮ／ＯＦＦするための押圧式のスイッチ６が設けられている。また蓋ケース４の側面からは導水チューブ７が延出しており、導水チューブ７の先端には肛門に挿入するためのノズル状の挿入部８が連結されている。挿入部８は着脱交換自在とし、病院等においては使い捨てにしてもよい。
【００１４】
次に、図２を参照して、腸洗浄器１の内部構造を説明する。蓋ケース４の内部下部には水平な台板１０が設けられている。台板１０上には、ポンプＰ、モータＭ、乾電池や充電池などの電源部１１等の駆動系が設けられている。ポンプＰから吸水チューブ１２が垂下している。スイッチ６をＯＮにすると、モータＭは起動し、ポンプＰは駆動して本体ケース３内に貯留された温水を汲み上げ、ポンプＰに接続された導水チューブ７を通して挿入部８へ送られ、挿入部８の先端から吐出される。ポンプや導水チューブ等の給水系には、流量調節弁や圧力調節弁等を設けてもよい。
【００１５】
この腸洗浄器１は上記のような構成より成り、次にその使用方法を説明する。まず、蓋ケース４を本体ケース３から取りはずし、本体ケース３内に適量（例えば１．２〜１．５リットル程度）の温水（例えば、４０〜４２℃程度）を供給して貯留し、蓋ケース４を本体ケース３上に装着する。
【００１６】
次いで腸洗浄器１をトイレに持ち込み、挿入部８を肛門に差し込んで、スイッチ６をＯＮにする。すると、モータＭは起動し、ポンプＰが駆動して本体ケース３に貯溜された温水を吸水チューブ１２で吸い上げ、導水チューブ７を通して挿入部８から腸内に温水を送り込む。温水を適量送り込んだならば、スイッチ６をＯＦＦにする。すると直腸部あるいは直腸部上のＳ字結腸部に滞留していた便は温水の灌流によって肛門から排出されるとともに、腸洗浄も同時に行われる。腸洗浄に要する時間は数分間程度の短時間である。
【産業上の利用可能性】
【００１７】
本考案は、家庭、病院、老人介護施設等において、あるいは旅行に携行するなどして簡易手軽に使用する腸洗浄器として特に有用である。
【符号の説明】
【００１８】
１  腸洗浄器
２  ケース
３  本体ケース
４  蓋ケース
６  スイッチ
７  導水チューブ
８  挿入部
１１  電源部
１２  吸水チューブ
Ｍ  モータ
Ｐ  ポンプ
【図１】
0003196701.tif 000003
【図２】
0003196701.tif 000004
(57)【要約】      （修正有）【課題】平らか且つ滑らかな表面に、携帯電話支持具を確実に密着し、使用が便利になるシリコーンゴム吸盤付き携帯電話支持具を提供する。【解決手段】アルミ合金台座６、支持ロッド７及び支持グリッパー８を備え、支持ロッドの一端がアルミ合金台座に連接され、支持グリッパーが支持ロッドの他端に連接されるシリコーンゴム吸盤付き携帯電話支持具であって、アルミ合金台座の裏面にシリコーンゴム吸盤２が連接され、アルミ合金台座の裏面に連接柱１１が設置される。連接柱の端面にねじ穴が設置され、シリコーンゴム吸盤の裏面にねじロッド３が固定連接され、ねじロッドがねじ穴に螺合され、シリコーンゴム吸盤が真空室を備える。ねじロッドが真空室に連通された通路を備え、ねじロッドの側面に通路に連通された排気口３２が一体成型され、排気口がゴム管４を介して排気ポンプ５に連接される。【選択図】図１
0003196764.tif 000002
【実用新案登録請求の範囲】
【請求項１】
アルミ合金台座、支持ロッド及び支持グリッパーを備え、前記支持ロッドの一端が前記アルミ合金台座に連接され、前記支持グリッパーが前記支持ロッドの他端に連接されるシリコーンゴム吸盤付き携帯電話支持具であって、
前記アルミ合金台座の裏面にシリコーンゴム吸盤が連接され、前記アルミ合金台座の裏面に連接柱が設置され、前記連接柱の端面にねじ穴が設置され、前記シリコーンゴム吸盤の裏面にねじロッドが固定連接され、前記ねじロッドが前記ねじ穴に螺合され、前記シリコーンゴム吸盤が真空室を備え、前記ねじロッドが前記真空室に連通された通路を備え、前記ねじロッドの側面に前記通路に連通された排気口が一体成型され、前記排気口がゴム管を介して排気ポンプに連接され、前記排気口または前記ねじロッドの通路に逆止め弁が設置される、
ことを特徴とするシリコーンゴム吸盤付き携帯電話支持具。
【請求項２】
前記ゴム管が、前記排気口に包接し、且つ、クランプを介して前記排気口に連接される、
ことを特徴とする請求項１に記載のシリコーンゴム吸盤付き携帯電話支持具。
【考案の詳細な説明】
【技術分野】
【０００１】
本考案は、携帯電話支持具の技術分野に関し、特に、シリコーンゴム（silicone rubber）吸盤付き携帯電話支持具に関する。
【背景技術】
【０００２】
従来の携帯電話支持具は、滑らかな表面に便利に置くことができなく、使用に不便である。
【考案の概要】
【考案が解決しようとする課題】
【０００３】
本考案は、上記の従来技術の欠陥を克服し、滑らかな表面に便利に置くことができ、使用が便利になるシリコーンゴム吸盤付き携帯電話支持具を提供することを目的とする。
【課題を解決するための手段】
【０００４】
本考案は、アルミ合金台座、支持ロッド及び支持グリッパーを備え、前記支持ロッドの一端が前記アルミ合金台座に連接され、前記支持グリッパーが前記支持ロッドの他端に連接されるシリコーンゴム吸盤付き携帯電話支持具であって、前記アルミ合金台座の裏面にシリコーンゴム吸盤が連接され、前記アルミ合金台座の裏面に連接柱が設置され、前記連接柱の端面にねじ穴が設置され、前記シリコーンゴム吸盤の裏面にねじロッドが固定連接され、前記ねじロッドが前記ねじ穴に螺合され、前記シリコーンゴム吸盤が真空室を備え、前記ねじロッドが前記真空室に連通された通路を備え、前記ねじロッドの側面に前記通路に連通された排気口が一体成型され、前記排気口がゴム管を介して排気ポンプに連接され、前記排気口または前記ねじロッドの通路に逆止め弁が設置されるシリコーンゴム吸盤付き携帯電話支持具である。
【０００５】
具体的には、前記ゴム管が、前記排気口に包接し、且つ、クランプを介して前記排気口に連接される。
【考案の効果】
【０００６】
本考案によるシリコーンゴム吸盤付き携帯電話支持具は、シリコーンゴム吸盤及びシリコーンゴム吸盤の真空室を真空排気するための排気ポンプを設置することにより、排気ポンプによって、通路及びシリコーンゴム吸盤の真空室の空気を排気口から排気させ、シリコーンゴム吸盤内の真空度を向上させ、それによって、平らか且つ滑らかな表面、例えば、ガラス表面、自動車内などに、携帯電話支持具を確実に密着し、使用が便利になる。
【図面の簡単な説明】
【０００７】
【図１】図１は、本考案の実施形態によるシリコーンゴム吸盤付き携帯電話支持具の平面概略図である。
【考案を実施するための形態】
【０００８】
本考案の目的、技術手段及び利点を更に明瞭にするために、以下、図面及び実施形態を参照しながら、本考案について一層詳細に説明する。しかし、ここで説明される特定の実施形態は、本考案を釈明するためのものにすぎなく、本考案を限定しないものであると認められる。
【０００９】
図１に示すように、本考案の実施形態によるシリコーンゴム吸盤付き携帯電話支持具は、アルミ合金台座６、支持ロッド７及び支持グリッパー８を備える。支持ロッド７は、必要に応じて、曲折してもよい。支持グリッパー８は、携帯電話を掴んで固定するためのものである。前記支持ロッド７の一端は、前記アルミ合金台座６に連接される。前記支持グリッパー８は、前記支持ロッド７の他端に連接される。携帯電話は、支持グリッパー８に連接されてもよい。アルミ合金台座６の裏面には、シリコーンゴム吸盤２が連接される。アルミ合金台座６の裏面には、連接柱１１が設置される。連接柱１１の端面には、ねじ穴が設置される。シリコーンゴム吸盤２の裏面には、ねじロッド３が固定連接される。ねじロッド３は、ねじ穴に螺合される。シリコーンゴム吸盤２は、真空室を備える。ねじロッド３は、この真空室に連通された通路３１を備える。ねじロッド３の側面には、通路３１に連通された排気口３２が一体成型される。排気口３２は、ゴム管４を介して、排気ポンプ５に連接される。平らか且つ滑らかな表面にシリコーンゴム吸盤２を置く場合、排気ポンプ５によって、通路３１及びシリコーンゴム吸盤２の真空室の空気を排気口３２から排気させ、シリコーンゴム吸盤２内の真空度を向上させ、それによって、平らか且つ滑らかな表面、例えば、ガラス表面、自動車内などに、携帯電話支持具を確実に密着し、使用が便利になる。シリコーンゴム吸盤が必要ではない場合、ねじロッド３がねじ穴から移ってもよく、携帯電話支持具の正常使用に影響を及ばない。排気口３２またはねじロッド３の通路３１には、シリコーンゴム吸盤２の真空室の真空度を確保するための逆止め弁９が設置される。
【００１０】
具体的には、ゴム管４は、排気口３２に包接し、且つ、クランプを介して排気口３２に連接される。排気完了の後、ゴム管４は、排気口３２から取り外すことができ、使用が便利になる。
本考案によるシリコーンゴム吸盤付き携帯電話支持具は、シリコーンゴム吸盤２及びシリコーンゴム吸盤２の真空室を真空排気するための排気ポンプ５を設置することにより、排気ポンプ５によって、通路３１及びシリコーンゴム吸盤２の真空室の空気を排気口から排気させ、シリコーンゴム吸盤２内の真空度を向上させ、それによって、平らか且つ滑らかな表面、例えば、ガラス表面、自動車内などに、携帯電話支持具を確実に密着し、使用が便利になる。
【００１１】
以上は、本考案の好適な実施形態にすぎなく、本考案を限定しないものであるが、本考案の要旨を逸脱しない範囲内に加えられる種々の変更、交替及び改良などは、請求の範囲に記載された範疇に属すべきである。
【図１】
0003196764.tif 000003